(57)【特許請求の範囲】
【請求項１】
基材と、
前記基材の一方の面に形成されたパターン層と、
前記基材の一方の面における前記パターン層と重ならない領域に、硬貨を構成する金属より硬度が大きい材料である高硬度材料により形成された高硬度材料層と、
前記パターン層と前記高硬度材料層の双方を覆うようにして形成された隠蔽層と、
を有し、
前記基材の一方の面には、前記隠蔽層に覆われた位置であって、前記パターン層および前記高硬度材料層と重ならない位置に、高硬度材料層の位置を示す情報が形成されていることを特徴とするスクラッチシート。
【請求項２】
前記隠蔽層と、前記パターン層および前記高硬度材料層の間には、剥離層が形成されていることを特徴とする請求項１に記載のスクラッチシート。
【発明の詳細な説明】
【技術分野】
【０００１】
本発明は、所定の作業を行うことにより、隠蔽されていた情報を視認可能とするスクラッチシートに関する。
【背景技術】
【０００２】
従来、隠したい情報の上に隠蔽層を形成し、この隠蔽層をコイン等でスクラッチする（引っ掻く、擦る）ことにより、隠されていた情報を視認可能にするスクラッチ構造を有するシートが用いられている。このようなスクラッチ構造を有するシートは、くじ、抽選券等、情報を隠蔽しておく必要のある媒体に利用されている。出願人も、スクラッチ構造を有するシート（スクラッチシート）として、様々な形態のものを提案している（特許文献１、２参照）。
【先行技術文献】
【特許文献】
【０００３】
【特許文献１】特開２０１３−２２８５３号公報
【特許文献２】特開２０１３−９１２３３号公報
【発明の概要】
【発明が解決しようとする課題】
【０００４】
スクラッチシートは、上述のように、くじ、抽選券等に用いられることが多く、エンタテイメント性が要求されるものである。しかしながら、従来のスクラッチシートでは、隠蔽層を削ったり剥がしたり等、所定の作業を行うことにより隠された情報を出現させるだけであった。
【０００５】
そこで、本発明は、所定の作業を行うことにより、単に隠された情報を知ることができるだけでなく、段階的に情報を出現させることが可能なスクラッチシートを提供することを課題とする。
【課題を解決するための手段】
【０００６】
上記課題を解決するため、本発明第１の態様では、
基材と、
前記基材の一方の面に形成されたパターン層と、
前記基材の一方の面における前記パターン層と重ならない領域に、硬貨を構成する金属より硬度が大きい材料である高硬度材料により形成された高硬度材料層と、
前記パターン層と前記高硬度材料層の双方を覆うようにして形成された隠蔽層と、
を有することを特徴とするスクラッチシートを提供する。
【０００７】
本発明第１の態様によれば、スクラッチシートが、基材の一方の面に形成されたパターン層と、基材の一方の面におけるパターン層と重ならない領域に高硬度材料により形成された高硬度材料層と、パターン層と高硬度材料層の双方を覆うようにして形成された隠蔽層と、を有するので、所定の作業を行うことにより、単に隠された情報を知ることができるだけでなく、段階的に情報を出現させることが可能となる。
【０００８】
また、本発明第２の態様では、前記隠蔽層と、前記パターン層および前記高硬度材料層の間には、剥離層が形成されていることを特徴とする。
【０００９】
本発明第２の態様によれば、スクラッチシートにおける隠蔽層と、パターン層および高硬度材料層の間には、剥離層が形成されているので、高硬度材料層の破損を抑えながら、隠蔽層を容易に剥離することが可能となる。
【発明の効果】
【００１０】
本発明によれば、所定の作業を行うことにより、単に隠された情報を知ることができるだけでなく、段階的に情報を出現させることが可能となる。
【図面の簡単な説明】
【００１１】
【図１】本発明の一実施形態に係るスクラッチシートを示す図である。
【図２】スクラッチシートの隠蔽層形成前の状態を示す図である。
【図３】硬貨により擦られた後の状態におけるスクラッチシートを示す図である。
【発明を実施するための形態】
【００１２】
以下、本発明の好適な実施形態について、図面を参照して詳細に説明する。
＜１．スクラッチシートの構成＞
図１は、本発明の一実施形態に係るスクラッチシートを示す図である。図１（ａ）は平面図であり、図１（ｂ）は、図１（ａ）のＡ−Ａ線に対応する断面図である。図１において、１は基材、２はパターン層、３は高硬度材料層、４は剥離層、５は隠蔽層、１０はスクラッチシートである。基材１は、パターン層２、高硬度材料層３、剥離層４および隠蔽層５を支持する支持体としての役割を果たすものであり、カードや印刷物等、目的・用途に応じた厚さ・サイズのものが用いられる。基材１の一方の面、他方の面、または両面には、別途印刷インキにより所定の情報が印刷された印刷層が形成されていてもよい。
【００１３】
パターン層２は、文字、図柄等による情報が所定のパターンとして形成された層である。高硬度材料層３は、高硬度材料を含む層である。高硬度材料層３は、パターン層２と重ならない領域に形成される。高硬度材料としては、高硬度材料層３を擦るために用いる硬貨（コイン）よりも高い硬度のものを用いる。パターン層２および高硬度材料層３は、その上に重ねて形成された隠蔽層５により、視認困難なように隠蔽される。
【００１４】
剥離層４は、隠蔽層５をパターン層２および高硬度材料層３から容易に剥離するために形成された層である。剥離層４は、パターン層２と高硬度材料層３の双方を覆うようにして形成されている。隠蔽層５は、パターン層２および高硬度材料層３を隠蔽するために形成された層である。隠蔽層５は、剥離層４に重ねて形成されている。したがって、隠蔽層５も、パターン層２と高硬度材料層３の双方を覆うようにして形成されている。
【００１５】
隠蔽層５は、パターン層２により表現された情報を隠すための層であり、パターン層２を覆うようにして形成されている。隠蔽層５を削る際に、粘着テープ等を用いて剥離することもできるように、隠蔽層５は、銀インキ等を用いて形成されている。
【００１６】
図１（ｂ）の断面図は、スクラッチシート１０の層構成を示すものであるため、現実とは厚さの比が異なっている。現実には、スクラッチシートの幅が数十ｍｍ〜数百ｍｍであるのに対して、スクラッチシートの厚さは、数百μｍ程度である。また、図１（ｂ）においては、基材１、パターン層２、高硬度材料層３、剥離層４、隠蔽層５の各層の厚さを同一にして示しているが、現実には、後述するように、それぞれ異なった厚さとなっている。
【００１７】
基材１としては、例えば、上質紙、アート紙、コート紙、キャストコート紙、合成樹脂又はエマルジョン含浸紙、合成ゴムラテックス含浸紙、合成樹脂内添紙、セルロース繊維紙等の紙類、ポリオレフィン（ポリエチレン、ポリプロピレンなど）、ポリスチレン、ポリカーボネート、ポリエチレンテレフタレート、ポリ塩化ビニル、ポリメタクリレート等の各種合成樹脂のプラスチックシート、また、これらの合成樹脂に白色顔料や充填剤を加えて成膜した白色不透明フィルム、あるいは基材内部に微細空隙（ミクロボイド）を有するフィルム（いわゆる合成紙）を使用することができる。
【００１８】
基材１の厚さについては、特に限定はないが、３μｍ〜３００μｍが好ましく、２０μｍ〜１７５μｍであることがより好ましい。基材１の色についても、特に限定はないが、隠蔽層５を剥離した後に、そのままでは、高硬度材料層３による表現を認識できないように、高硬度材料層３と類似の色であることが好ましい。可能であれば、基材１と高硬度材料層３は同色であることがより好ましい。同色とは、完全に同一の色でなくても、太陽光や通常の照明光の下で、２つの色を区別して視認するのが困難な程度の同一性で足りる。例えば、PCCS（日本色研配色体系：Practical Color Co-ordinate System）の２４色相の色相環において、ある色相に着目したときに隣接する色相との中間の色までを同色とすることができる。
【００１９】
パターン層２は、上述のように、文字、図柄等による情報が所定のパターンとして形成された層である。パターン層２は、公知の印刷インキを、公知の印刷方式により印刷することにより形成される。
【００２０】
高硬度材料層３は、上述のように、高硬度材料を含む層である。高硬度材料層３に含まれる高硬度材料としては、高硬度材料層３を擦るために用いる硬貨（コイン）を構成する金属よりも硬度が大きいものを用いる必要がある。硬貨を構成する金属より硬度が大きい材料を含むインキ組成物による高硬度材料層３について説明する。
【００２１】
まず、上記の硬貨を構成する金属より硬度が大きい材料としては、例えば、モース（Ｍｏｓｅ）硬度６．０〜７．０のルチル型酸化チタン、モース（Ｍｏｓｅ）硬度５．５〜６．０のアナターゼ型酸化チタン、モース（Ｍｏｓｅ）硬度９．０の酸化アルミニウム（アルミナ）、モース（Ｍｏｓｅ）硬度７．０の酸化珪素、モース（Ｍｏｓｅ）硬度９．０の酸化クロム、その他等の１種ないし２種以上を使用することができる。ちなみに、硬貨を構成する金属として一般に用いられている金属の硬度としては、例えば、鉄は、モース（Ｍｏｓｅ）硬度４．５、黄銅（Ｃｕ−Ｚｎ）は、モース（Ｍｏｓｅ）硬度３．０〜４．０、銅は、モース（Ｍｏｓｅ）硬度３．０、アルミニウムは、モース（Ｍｏｓｅ）硬度２．９、亜鉛は、モース（Ｍｏｓｅ）硬度２．５、鉛は、モース（Ｍｏｓｅ）硬度１．５程度である。
【００２２】
したがって、モース硬度が４．５より大きければ、ほとんどの硬貨を構成する金属より硬度が大きい。そのため、高硬度材料層３としてモース硬度が４．５より大きい材料を用いれば、通常の硬貨で擦った場合に、硬貨が削られて、その金属粉が、高硬度材料層３に積層される。これにより、表面から見た場合は、高硬度材料層３が表現する内容を視認することが可能となる。したがって、高硬度材料層３としてモース硬度が４．５より大きい材料を用いることが好ましい。
【００２３】
高硬度材料層３における、硬貨を構成する金属より硬度が大きい材料を含むインキ組成物としては、例えば、樹脂の１種ないしそれ以上を使用し、それをビヒクルの主成分とする。そして、これに、上記の硬貨を構成する金属より硬度が同等、またはそれよりも硬度が大きい材料の１種ないし２種以上を添加する。更に必要ならば、可塑剤、安定剤、酸化防止剤、光安定剤、紫外線吸収剤、硬化剤、架橋剤、滑剤、帯電防止剤、充填剤、スリップ剤、その他等の添加剤の１種ないし２種以上を任意に添加する。更にまた、要すれば、染料・顔料等の着色剤を添加し、溶媒、希釈剤等で充分に混練し、調製してインキ組成物を製造することができる。
【００２４】
上記のインキ組成物において、硬貨を構成する金属より硬度が同等またはそれよりも硬度が大きい材料の含有量としては、０．１〜６０質量％、好ましくは、１０〜５０質量％が望ましいものである。本発明においては、上記で製造したインキ組成物を使用し、基材１の一方の面に、例えば、グラビア印刷方式、オフセット印刷方式、凸版印刷方式、フレキソ印刷方式、シルクスクリ−ン印刷方式、転写印刷方式、その他等の印刷方式により印刷して、文字、図形、記号、絵柄、その他等により情報を表現した高硬度材料層３を形成するものである。
【００２５】
剥離層４は、隠蔽層５のパターン層２および高硬度材料層３からの剥離を容易にするための層である。そのため、剥離層４としては、隠蔽層５がパターン層２および高硬度材料層３から容易に剥離できるような接着性の低いものを使用することが好ましい。剥離層４の形成には、例えば、フッ素系樹脂、シリコーン、各種のワックスなどの離型剤を添加または共重合させたアクリル系樹脂、ビニル系樹脂、ポリエステル樹脂、繊維素系樹脂、ワックス、メラミン系樹脂等を用いることができる。剥離層４を形成するための塗布量・塗布厚は特に限定されないが、好ましくは、塗布厚は０．１μｍ〜１０μｍである。剥離層４については、隠蔽層５がパターン層２および高硬度材料層３から容易に剥離される状態が実現できる場合は、形成しなくてもよい。
【００２６】
隠蔽層５は、コイン等で削り取ったり、接着剤により剥離したりすることが可能な層であって、パターン層２および高硬度材料層３を隠蔽するための層である。隠蔽層５は、隠蔽性の高いインキを印刷することにより形成される。具体的には、隠蔽性の高い顔料が、比較的多量にバインダ樹脂中に分散したものであって、必要に応じて、着色の目的で、染料もしくは通常の顔料が配合されたインキであってもよい。
【００２７】
隠蔽層５を構成する隠蔽性の高い顔料としては、銀粉末、アルミニウム粉末、黄銅粉末、もしくは銅粉末等の金属系粉末、炭酸カルシウム、酸化亜鉛、アルミナ、二酸化チタン、シリカ、硫酸バリウム、タルク、カオリン、クレー、カーボンブラック、もしくは樹脂粉末等を使用することができる。また、隠蔽層５を構成するバインダ樹脂としては、上記の隠蔽性の高い顔料を保持し、基材との接着性の良好なものを選択して用いる。例えば、天然ゴム、もしくは塩酸ゴム等のゴム系天然樹脂、ポリブタジエン、スチレン−ブタジエン共重合体、アクリロ二トリル−ブタジエン共重合体、ポリイソプレン、ポリクロロプレン、アクリル、塩化ビニル、もしくは塩化ビニル−酢酸ビニル共重合体等を使用する。
【００２８】
隠蔽層５は、例えば、金属粉をインキ化した銀インキなどをオフセット印刷方式、グラビア印刷方式、シルクスクリーン印刷方式などの公知の印刷方式で形成すればよく、隠蔽性をあげるために複数回印刷してもよい。また、隠蔽性のある異なるインキによる印刷層を複数層形成してもよい。隠蔽層５を形成するための塗布量・塗布厚は特に限定されないが、好ましくは、塗布厚は０．１μｍ〜１０μｍである。
【００２９】
＜２．実施例＞
基材１として、１２７．９ｇ／ｍ2の三菱製紙株式会社製のマットコート紙「ニューＶマット」を使用した。
まず、通常のオフセットインキを用いて、オフセット印刷方式により、上記基材１上に、パターン層２の形成を行った。本実施形態では、図２（ａ）に示すように、文字状のパターン「あたり」を形成した。
また、同様に通常のオフセットインキを用いて、オフセット印刷方式により、所定のメッセージ（図２（ａ）の例では、「スクラッチシート」「コインで擦って下さい」「テープで剥離するか、コイン等で削って下さい」等）、その他必要な絵柄等の印刷を行った。
次に、ＳＩＣＰＡ社製の印刷インキ「ＣＯＩＮ−ＲＥＡＣＴＩＶＥ ＩＮＫ」を用いて、オフセット印刷方式により、上記基材１上に、厚さ１μｍになるように印刷を行った。この結果、所定の情報を表現した高硬度材料層３が得られた。
続いて、パターン層２および高硬度材料層３を覆うように、剥離剤を、厚さ３μｍになるようにスクリーン印刷方式により印刷した。この結果、パターン層２および高硬度材料層３に重なる剥離層４が形成された。
さらに、剥離層４に重ねて、銀インキを、厚さ５μｍになるようにスクリーン印刷方式により印刷した。この結果、剥離層４に重なる隠蔽層５が形成された。
これにより、図１に示したようなスクラッチシートが完成した。
隠蔽層５は、金属粉を含む銀色であるため、隠蔽層５を通して、パターン層２に表現された情報を視認することは困難であった。
【００３０】
＜３．使用例＞
図１に示したスクラッチシート１０では、隠蔽層５がパターン層２および高硬度材料層３を覆って形成されている。隠蔽層５は銀色のインキであるため、図１（ａ）に示すように、パターン層２および高硬度材料層３を視認することはできない。そのため、図１の例では、「テープで剥離するか、コイン等で削って下さい」というメッセージが、隠蔽層５を示す矢印とともに印刷されている。
【００３１】
図１に示したスクラッチシート１０において、メッセージに従い、粘着テープの粘着面を隠蔽層５に粘着させた後、粘着テープをスクラッチシート１０から剥がす。すると、隠蔽層５は、粘着テープの粘着面に付着した状態で、粘着テープとともに、スクラッチシート１０から剥離される。この際、剥離層４が存在することにより、隠蔽層５は、比較的小さい粘着力であってもパターン層２および高硬度材料層３から剥離されることになる。このため、隠蔽層５を剥がす際に、パターン層２および高硬度材料層３を破損する恐れが小さい。隠蔽層５は、必ずしも粘着テープを用いて剥がす必要はなく、コインで削ることにより除去してもよい。コインで削る場合であっても、剥離層４が存在することにより、隠蔽層５をより除去し易くなる。
【００３２】
剥離層４とともに隠蔽層５を剥がすと、スクラッチシート１０は図２に示すような状態となる。図２は、粘着テープにより隠蔽層５が剥離された後の状態におけるスクラッチシートを示す図である。図２（ａ）は、この時点におけるスクラッチシートの平面図であり、図２（ｂ）は、図２（ａ）のＢ−Ｂ線に対応する断面図である。図２（ｂ）に示すように、元のスクラッチシート１０からは、剥離層４および隠蔽層５が剥離され、パターン層２および高硬度材料層３か露出した状態となる。これにより、スクラッチシート１０の表面から見た場合は、図２（ａ）に示すように、パターン層２が表現する文字「あたり」を視認することが可能となる。高硬度材料層３は、パターン層２と重ならない領域に形成されているため、「あたり」の文字と重ならない位置に存在することになる。
【００３３】
基材１の色と高硬度材料層３の色が同一である場合は、高硬度材料層３が表現している情報を視認することができない。本実施形態のように、基材１と高硬度材料層３がともに白色である場合は、図２（ａ）に示すように、パターン層２が表現する文字「あたり」を視認することはできるが、高硬度材料層３が表現する情報を視認することはできない。そのために、図２の例では、「コインで擦って下さい」というメッセージが、高硬度材料層３の存在位置を示す矢印とともに印刷されている。
【００３４】
図２に示したスクラッチシート１０において、メッセージに従い、高硬度材料層３を硬貨で擦ると、高硬度材料層３に含まれる、硬貨を構成する金属より硬度が大きい材料である高硬度材料により、硬貨が削られる。そして、削られた硬貨から出る金属粉は、高硬度材料層３に積層される。
【００３５】
この結果、スクラッチシート１０は図３に示すような状態となる。図３は、硬貨により擦られた後の状態におけるスクラッチシートを示す図である。すなわち、図３（ｂ）に示すように、高硬度材料層３の上に金属粉６が積層された状態となる。これにより、スクラッチシート１０の表面から見た場合は、高硬度材料層３が表現する文字「大」を視認することが可能となる。全体としては、図３（ａ）に示すように、高硬度材料層３が表現する文字「大」とパターン層２が表現する文字「あたり」が並んでいる状態が視認される。したがって、このスクラッチシートが「大あたり」であることを認識することができる。
【００３６】
利用者にしてみると、粘着テープで剥離するか、コイン等で削ることにより、隠蔽層５を除去して、パターン層２により表現された情報（図２、３の例では、「あたり」）を１つ目の情報として取得することができる。そして、高硬度材料層３をコインで擦ることにより、コインの金属粉を高硬度材料層３に付着させて、高硬度材料層３により表現された情報を２つ目の情報（図３の例では、「大」）として取得することができる。このように、利用者は、１つのスクラッチシートで、段階的に２回楽しむことができる。
【００３７】
以上、本発明の好適な実施形態について説明したが、本発明は上記実施形態に限定されず、種々の変形が可能である。例えば、上記実施形態においては、隠蔽層５と、パターン層２および高硬度材料層３の間に、剥離層４を形成するようにしたが、隠蔽層５をパターン層２および高硬度材料層３から剥離することができれば、必ずしも剥離層４を形成する必要はない。
【符号の説明】
【００３８】
１・・・基材
２・・・パターン層
３・・・高硬度材料層
４・・・剥離層
５・・・隠蔽層
６・・・金属粉
１０・・・スクラッチシート
【図１】
0006578885.tif 000002
【図２】
0006578885.tif 000003
【図３】
0006578885.tif 000004